(57)【要約】  周囲のトランデューサ等から信号を受信して再送信し、電気的に作動する既存の器具とともに機械的かつ電気的に用いられる、信号リピータ。特に、本発明は、電気器具に対して機械的かつ電気的に結合されるハウジング部と、トランシーバ部と、第１の電源部を含み、該第１の電源部がトランシーバ回路に電気的に接続されるとともに、ハウジング部内に収容される。該リピータは電気器具の機能を維持するように構成される。【選択図】図１
2007511976.tif 000002
【特許請求の範囲】
【請求項１】
共通の電気装置に電力を供給するために用いられる電気的に作動する器具に対して、該器具の機能を維持したままで取り付けられるリピータ装置であって、
トランシーバ部と、
前記トランシーバ部に対して電気的に結合された第１の電源部と、
前記トランシーバ部及び前記第１の電源部を収容するとともに、前記した電気的に作動する器具に機械的に用いるためのハウジング部と、を備え、
前記ハウジング部が前記した電気的に作動する器具と機械的に協働するとともに、前記第１の電源部が、前記した電気的に作動する器具に関わる電力に対しても電気的に繋がっているリピータ装置。
【請求項２】
前記第１の電源部が、充電可能な電力貯蔵モジュールを含み、前記電力が前記した電気的に作動する器具に供給されるときに、該電力によって該モジュールが充電される、請求項１に記載のリピータ装置。
【請求項３】
前記第１の電源部が、充電可能な電力貯蔵セル及び充電装置を含み、前記した電気的に作動する器具に前記電力が供給されるときに、該充電装置が該充電可能な電力貯蔵セルを充電する、請求項１に記載のリピータ装置。
【請求項４】
前記ハウジング部がさらに、前記した共通の電気装置に電力を提供するための接合部を含む、請求項１に記載のリピータ装置。
【請求項５】
接合部がさらに、前記した電気的に作動する器具への機械的な取り付けのために第１の接合部を備える、請求項１に記載のリピータ装置。
【請求項６】
接合部がさらに、前記した電気的に作動する器具の機能を維持するための第２の接合部を備える、請求項１に記載のリピータ装置。
【請求項７】
前記した電気的に作動する器具が電力供給を断たれるときに、前記第１の電源部が投入される、請求項１に記載のリピータ装置。
【請求項８】
前記した電気的に作動する器具が電源投入されるときに、前記第１の電源部による電力供給が断たれる、請求項１に記載のリピータ装置。
【請求項９】
既存の電気器具が電源投入されるときに、前記第１の電源部が充電中とされる、請求項１に記載のリピータ装置。
【請求項１０】
前記電力が前記した電気的に作動する器具に対して利用できない場合に、前記第１の電源部が、当該器具に対して継続して電力を供給するように構成されている、請求項１に記載のリピータ装置。
【請求項１１】
前記した電気的に作動する器具が共同住宅に設けられており、かつトランデューサが前記した電気的に作動する器具に信号を送る、請求項１に記載のリピータ装置。
【請求項１２】
前記トランシーバ部が１つ以上のトランデューサから信号を受信し、かつ該信号を基地局に再送信する、請求項１に記載のリピータ装置。
【請求項１３】
前記ハウジング部が、出口標識内に挿入されるように構成されている、請求項１に記載のリピータ装置。
【請求項１４】
建物の装備品と置き換えられるリピータ装置であって、
信号を受信し、再送信するためのトランシーバ部と、
前記トランシーバ部に対して電気的に接続された第１の電源部と、
前記トランシーバ部及び前記電源部を収容するためのハウジング部を備え、
前記建物の装備品の機能を維持したたままで、前記ハウジング部が前記建物の装備品に置き換えられるように構成されているリピータ装置。
【請求項１５】
前記建物の装備品が天井タイルである、請求項１４に記載のリピータ装置。
【請求項１６】
前記建物の装備品が、暖房、換気及び空調（ＨＶＡＣ）のグリルである、請求項１４に記載のリピータ装置。
【請求項１７】
前記建物の装備品が天井スピーカーである、請求項１４に記載のリピータ装置。
【請求項１８】
トランデューサの信号を基地局に中継する方法において、
共通の電気装置に電力を供給するために用いられる電気的に作動する既存の器具に取り付けるための接合構造をもったハウジング部内に、トランシーバ部及び第１の電源部を収容し、
前記した電気的に作動する既存の器具に対して、前記ハウジング部を機械的に接続し、
前記した電気的に作動する既存の器具に関連する第２の電源部に対して、前記トランシーバ部及び前記第１の電源部を電気的に接続し、
信号を受信し、
信号を送信し、
前記第２の電源部から電力が利用可能であるときには、当該電源部から前記トランシーバ部に電力を供給し、前記第１の電源部を充電し、
前記第２の電源部からの電力が利用可能でないときには、前記第１の電源部から前記トランシーバ部に電力を供給する方法。
【発明の詳細な説明】
【技術分野】
【０００１】
本発明は、無線周波数の無線信号システムに関するものであり、より詳しくは、改良されたリピータシステムであって、電球、蛍光灯、回路出力部及びスイッチ、あるいはその他の電気器具のような、共通の電気装置に対して電力を供給するための、電気的に作動する器具に採用されるシステムに関する。特に、本発明は、電気器具に対して電気的に接続されるリピータであって、第１の電源部に電気的に接続されるトランシーバ（送受信機）部と、電気器具とともに機械的に用いられるハウジング部を備えており、電気器具からの電力供給が受けられなくなったときでもリピータ部が継続して動作することができるようにしたものである。
【背景技術】
【０００２】
基地局に対して各種の監視結果を伝えるために信号を送信する遠隔のトランデューサが、既知のシステムに採用されているが、中央に位置するステーションなどの送り先に信号を到達させるための電力が十分でないことがある。そこで、１つ又は複数のリピータが用いられ、信号が送り先に到達するまでの間、リピータは信号を傍受して増幅し、該信号を再送信する。例えば、遠隔位置にあるトランデューサは、煙、温度、湿度、風速、及び他の重要な環境パラメータを検出して信号を発する。また、別のトランデューサは、対象又は物理的な位置についての状態又は物理的条件を示す信号を提供することができる。
【０００３】
居住施設を含む殆どの建物には現在、暖房、換気、及び空調機器の性能や効率を監視するための検出器と組み合わされたトランデューサ又はセンサが装備されている。煙感知器に採用されている他のセンサは、煙のレベルや温度条件などの大気パラメータを監視するために用いられ、火災を警報する。また、別のセンサは、セキュリティ侵害や、他の危険状態又は危機的な状態を知らせるのに使用される。
【０００４】
このような検出器は、通例、音を立てるか視覚による警報を発するようになっているが、支援の要請が可能とされる、中央に位置するステーションにおいては、必ずしも、信号が受信されるように検出器が該信号を発することを要しない。煙感知器や他の火災センサのようなトランデューサに付随するリピータ装置は、センサの位置及び監視状態を含む信号を配信するために無線送信機を装備している場合や、センサと基地局との間で複数のリピータに連動して動作する場合において、火災と判断される状況の変化を基地局に警報する。
【発明の開示】
【発明が解決しようとする課題】
【０００５】
しかしながら、上記のようなリピータ装置に対して電力を供給する場合に面倒な問題があり、これは、電気的な出口（ｏｕｔｌｅｔｓ）を容易に利用できない場合があることに拠る。電源装置、例えば、照明器具、電源出力部などは通常、検出器から比較的近い範囲内に据え付けられており、予め決まった有限の期間中、センター部から電力を受けられるようになっている。例えば、アパートのような、大きな共同住宅では、夜間に面照明が行われ、自然光源から与えられる周辺光が十分にある期間には面照明への電源供給は行われない。
それ故にリピータ装置は、既存の電気的レセプタクル（電源差し込み口）への設置に好適であることが必要である。これは、監視を必要とする近隣の検出器からの信号を記憶し、増幅して、中央に位置するステーションに伝えるためであり、また、このようなリピータによって、コンパクト化の実現や、レセプタクルからの電力が利用できなくなった場合でも連続的な動作が行われるといった、利点及び特長を得ることができる。
【課題を解決するための手段】
【０００６】
本発明は、センサの近くに位置されて信号を受信し再送信するリピータ装置であって、送信及び受信の機能をもつ部分に電力を供給する回路を有する装置に関する。また、電力の断続的な供給に応じてバッテリを再充電するための回路が設けられており、該バッテリは通常、電力供給がなくなった場合において、システムに電力を供給するものである。該バッテリを頻繁に再充電することにより、センサと基地局との間で途切れなく通信を行うことができる。
【０００７】
好ましい実施形態において、リピータ装置は、既存の電球ソケットに結合するように設計されるが、これは電球とソケットとの間にリピータ装置を入れられるようにするためである。また、リピータ装置が電球ソケットを含む場合には、該装置の取り付けにおいて、ソケットから電球を外し、リピータ装置を挿入し、リピータ装置のソケットに電球を戻すことが必要である。日中には電球への給電がなされず、充電可能なバッテリによって、リピータ装置が動作して、センサ情報を基地局のようなセンター部へと中継することができる。そして、夕方になると、照明への通電がなされ、リピータ装置も通電され、かつバッテリが再び充電される。よって、リピータ装置は、電球ソケットまたはその他のレセプタクルからの電力が利用できなくなった場合でも、継続的な動作を提供する。
【０００８】
尚、他の実施形態では、リピータ装置が蛍光灯器具に取り付けられ、電源ラインに接続される。また、別の実施形態において、リピータ装置は、出口標識やスイッチにさえ取り付けられる。さらに別の実施形態では、リピータ装置が電源出力部に採用され、そこでは電力が常に該装置に供給されるとともに、バッテリは、設備への電源喪失が起きた場合のバックアップとして援護する。
【発明を実施するための最良の形態】
【０００９】
図１は、本発明についての、好ましい実施形態の一例を示すものであり、リピータ装置が電気照明用ソケット１４に据え付けられるように構成されている。図１において、リピータ装置１０は、ハウジング部１２を有しており、これには第１の接合部１６が取り付けられている。尚、この接合部は電気照明用ソケット１４に機械的に係合されかつ電気的に接続されるようになっている。リピータ装置１０はさらに、該装置への電力供給を行うために第１の電源部２２を有する。
【００１０】
好ましい実施形態において、電気照明用ソケット１４はカンデラブラ（ｃａｎｄｅｌａｂｒａ：枝付き燭台）ソケットであり、第１の接合部１６は、該カンデラブラソケットに適合する構成とされる。注目すべきは、電気照明用ソケット１４が、電力供給を行う第２の電源部４８に対して電気的に接続されていることである。好ましい実施形態において、電気照明用ソケット１４は、リピータ装置１０が取り付けられた場合でも既存の機能を維持する。さらには、本実施形態において、第１の接合部１６は標準的なカンデラブラベースであって、カンデラブラソケットに、機械的かつ電気的に係合する。さらに注目すべきは、第１の接合部１６が、電気的レセプタクルと結合される如何なる機械的構造をもっていても構わないことである。また、電気照明用ソケット１４については、電源出力部、電気的レセプタクル、電気器具、電源供給器具、既存の器具、電気的に作動する器具、付属品又は第２の電源部４８に付随する備品であってもよい。
【００１１】
ハウジング部１２はさらに遮熱材１１を有する。この遮熱材１１は、電球１８が給電されたときに、その光に対する反射鏡の役目を果たす。但し、図には電球１８が白熱電球として描かれているが、本発明によるリピータについてはこれに限らず、蛍光灯や蛍光管、ネオンライトやネオン管、その他の照明器具とともに用いられるように設計され、またその他の光源や共通の電気的なデバイスが本発明の精神及び範囲に含まれる。さらには、ハウジング部１２は、ハウジング内壁２０と第１の電源部２２を有しており、該第１の電源部２２は、ハウジング内壁２０と遮熱材１１との間に取り付けられている。ハウジング部１２には、無線信号を送信しかつ受信するアンテナ２４が取り付けられている。このアンテナ２４はモノポールアンテナとして図示されているが、無線信号を受信しかつ送信する如何なるデバイスであってもよい。リピータ回路基板２６は、ハウジング内部の底に位置しており、第２の回路基板３４が第２の接合部１７に接続されている。尚、この接合部は、電球１８のような光源を挿入できるようになっている。そして、第２の接合部１７は、第２の電源部４８に対して電気的に接続されている。
好ましい実施形態において、リピータ回路基板２６はトランシーバ（回路）部２８を有する。また、第１の電源部２２は、再充電可能な電力貯蔵モジュールを含むことができ、該電源部が再充電可能な電力貯蔵セル及びパワーリチャージャ（充電装置）を有する場合に、トランシーバ部２８に対して所望の動作基点を設定して電力を供給する。
【００１２】
図２Ａ及び２Ｂを参照すると、これらのブロック図にはリピータ回路基板２６が示されている。好ましい実施形態において、第１の電源部２２は再充電可能なバッテリモジュールであり、これには再充電可能なバッテリ２７及びバッテリチャージャ４６が含まれる。注目すべきは、第１の電源部２２が、ニッケルカドミウム電池やリチウムイオン電池、再充電可能な電力貯蔵モジュールのような電気的な貯蔵デバイスであってもよいし、あるいは、電気的エネルギーを供給する如何なるデバイスでもよいことである。また、パワーリチャージャについては、ソーラーパネルアレイ、変圧器、電気的な回路基板、その他の電気回路のように、再充電可能な電力貯蔵セルを充電可能な任意のデバイスを用いることができることも注目に値する。
第２の電源部４８は、電気照明用ソケット１４からのエネルギー源である。第２の電源部４８は、バッテリチャージャ４６に電気エネルギーを提供する。次いで、該バッテリチャージャ４６は、トランシーバ部２８に電力を供給するとともに、再充電可能なバッテリ２７を充電するが、これは、第２の電源部４８からの電力が利用可能なとき、つまり、電源が供給されているときである。第２の電源部４８が利用できないとき、つまり、電力供給を受けられないとき、あるいは、接合部１６が電源オフのときには、第１の電源部２２がリピータ装置１０に電力を供給する。
【００１３】
リピータ回路基板２６はさらに、第１のシステム及び第２のシステムを有する。
先ず、第１のシステムには、トランシーバ部２８と、受信した信号強度のインジケータ３１と、ディスプレイ３８が含まれる。また、第２のシステムには、マイクロコントローラ部４０と、メモリストレージ部３２と、データ通信ポート４２が含まれる。
好ましい実施形態において、トランシーバ部２８は、テキサスインスツルメンツ社製の部品番号ＴＲＦ６９０１のＲＦトランシーバ回路である。但し、トランシーバ部２８には、電気信号を受信しかつ送信する、同様の送受信回路であれば、如何なる回路を用いても構わない。
本実施形態では、トランシーバ部２８がアンテナ２４から少なくとも１つの電気信号を受信する。この信号は、無線周波数（ＲＦ）、マイクロ波、またはミリ波の信号である。該信号はトランデューサ２３から出るものであり、該トランデューサは、例えば、アパートやオフィスビルのような建物に位置され、煙指数、粒子状物質、湿分、湿度、圧力、温度などの環境パラメータを測定する。別例としては、トランデューサ２３が、出口標識、火災報知器、空調ユニット、またはその他の場所に配置され、そこでは環境パラメータを監視して、その情報を別の場所、例えば、リピータや基地局に送信することをユーザから要請される。
【００１４】
トランシーバ部２８が、計測された環境パラメータを示す信号を受信して処理した後で、該信号はマイクロコントローラ４０に対して送出される。好ましい実施形態において、該マイクロコントローラは、ザイリンクス社製の部品番号ＸＥ２Ｓ１００Ｅである。一般に、マイクロコントローラは信号を評価し、そして分類し、該信号をメモリストレージ部３２に記憶させるための代表値へのマッピングを行う。好ましい実施形態において、メモリストレージ部３２は、マイクロチップ社製の部品番号＃９３ＡＡ５６Ａであるが、他のメモリストレージデバイスへの置き換えが可能であり、それらもまた本発明の範囲内に包含される。
続いて、マイクロコントローラ４０は、トランシーバ部２８を介して代表値を返信し、アンテナ２４を介して、中央に位置するステーション、集中データベース・ステーション、別のリピータ装置、または他の送り先への再送信を行う。
【００１５】
データ通信ポート４２は、制御及びデータ信号をマイクロコントローラ部４０に送出する。そのような制御及びデータ信号は、プログラムや再プログラムを行い、データを入力し、あるいは、マイクロコントローラ部４０内に内部的に格納されたデータ又は外部的にメモリストレージ部４０内に格納されたデータを削除するのに利用される。あるモードでは、アンテナ２４により受信された信号のうちのどれが、トランシーバ部２８によって処理されるべきであるのかを決定するために、制御及びデータ信号によりマイクロコントローラ部４０がプログラムされる。また、別のモードでは、メモリストレージ部３２に信号を記憶するために、制御及びデータ信号によりマイクロコントローラ部４０がプログラムされる。さらにまた別のモードでは、記憶された信号のどれをメモリストレージ部３２から取り出して、それらのうちのどの信号が、トランシーバ部２８からアンテナ２４を介して、次のリピータ装置、基地局、中央に位置するステーション、または集中データベース・ステーションへと送信されるべきであるかを選択するために、制御及びデータ信号によりマイクロコントローラ部４０がプログラムされる。
尚、次に示す段落では、本発明にかかるリピータ装置の別構成の実装形態を説明するが、このリピータ装置はハード・ワイヤードによる配線式のものではなく、既存のソケットに差し込んで使用するプラグ式のものである。そして、上記した最初の実施形態が電球用のソケットを含み、かつリピータの取り付け時に電球が外れるようになっているのと同様に、下記に示すリピータは、他の電気器具に使用するためのソケットを有している。
【００１６】
図３を参照すると、これには本発明の別の実施形態が示されており、リピータ装置１０にＲ３０電球を挿着するとともに、これをＲ３０照明器具に嵌めることができる。本例では、図１の実施形態と同じ構成要素及び機能を有し、リピータ基板２６、アンテナ２４、そして、第１の電源部２２と他の回路構成（図示せず）を含んでおり、それらの機能については図２Ａ及び２Ｂで説明した通りである。図１の実施形態との主要な相違点は、本実施形態がＲ３０照明器具に適合することである。
【００１７】
図４Ａを参照すると、これには本発明のさらに別の実施形態が示されており、リピータ装置１０が電球内にパッケージ化されている。本例では、図１の実施形態と同じ構成要素及び機能を有し、リピータ基板２６、アンテナ２４、そして、第１の電源部２２と他の回路構成（図示せず）を含んでおり、それらの機能については図２Ａ及び２Ｂで説明した通りである。図１の実施形態との主要な相違点は、本実施形態においてリピータ装置１０が電球のような外観を呈することである。
【００１８】
図４Ｂを参照すると、これには本発明のさらに別の実施形態が示されており、リピータ装置１０が電球形状の器具であって、これとは別の電球とともに用いられる。本例では、図１の実施形態と同じ構成要素及び機能を有し、リピータ基板２６、アンテナ２４、そして、第１の電源部２２と他の回路構成（図示せず）を含んでおり、それらの機能については図２Ａ及び２Ｂで説明した通りである。図１の実施形態との主要な相違点は、本実施形態においてリピータ装置１０が電球のような外観を呈し、別の電球とともに使用されることである。
【００１９】
図５Ａ、５Ｂを参照すると、これらには本発明のさらに別の実施形態が示されており、リピータ装置１０が、安定器９を含む蛍光照明器具１３に採用されている。本例では、図１の実施形態と同じ構成要素及び機能を有し、リピータ基板２６、アンテナ２４、そして、第１の電源部２２と他の回路構成（図示せず）を含んでおり、それらの機能については図２Ａ及び２Ｂで説明した通りである。図１の実施形態との主要な相違点は、本実施形態のリピータ装置１０及び第１の蛍光灯バルブ２１が、標準的な蛍光灯バルブと置き換えられることである。つまり、リピータ装置１０は、蛍光照明器具のソケット（図示せず）に嵌めこまれ、かつ、第１の蛍光バルブ２１を受け入れられるように機械的な変更が加えられた、プラグ１９を有しているが、これは、蛍光照明器具１３の機能を維持するためである。さらには、第２の蛍光灯バルブ１５が蛍光照明器具１３に嵌めこまれることにより、照明がさらに明るくなる。
次の２段落に説明するリピータ装置は、ハード・ワイヤー式のものでなく、既存のソケットに差し込んで用いるものである。そして、上記した最初の実施形態が電球用のソケットを含み、かつリピータの取り付けのために電球が外れるようになっているのと同様に、下記に示すリピータは、他の電気器具に使用するためのソケットを有している。結果として、リピータ装置の取り付けは、最初の実施形態で説明した取り付けと同様の方法で説明される。
【００２０】
図６を参照すると、これは本発明の別の実施形態を示す斜視図であり、リピータが商用電源出力部６２に採用されている。この商用電源出力部６２は、電気的出口（コンセント）であるが、電気的なエネルギー源を提供する任意の出力端であってもよい。特に、商用電源出力部のリピータ装置６０（図示せず）は、プラスティック製ハウジング５８内に据え付けられる。さらに、商用電源出力部のリピータ装置６０（図示せず）は、アウトレットリピータアンテナ５６を含んでおり、これを用いて、電気信号を、リピータ、基地局、またはその他、例えば、中央に位置するデータセンターから受信し、また、電気信号を、リピータ、基地局、またはその他の送信先、例えば、中央に位置するデータセンターに向けて送信する。但し、本明細書に記述される他の好ましい実施形態との主要な相違点は、本実施形態が、電気照明レセプタクルへの挿入に代わって、既存の電気的なアウトレット（コンセント）又はソケットに差し込まれることである。
【００２１】
図７を参照すると、これは図６の商用電源出力部６２を部分的に切断し、かつ部分的に透視して示すものである。本実施形態では、商用電源出力部６２内に商用電源出力部のリピータ装置６０が収容されており、これは図２Ａ及び２Ｂに示した基礎的な構成と、機能面及び主要な要素が同じである。特に、商用電源出力部のリピータ装置６０が以下の要素から構成される。
プラスティック製ハウジング５８（図６参照）；商用電源出力部６２（機能的には、第２の電源部４８と等価である）；アウトレット・バッテリ６４（機能的には第１の電源部２２と等価である）；トランシーバ／リピータ・プリント回路基板６６（機能的にはＲＦ回路基板２６と等価である）；アウトレット・リピータサービスアンテナ５６（機能的にはアンテナ２４と等価である）。
商用電源出力部のリピータ装置６０は、アウトレット・バッテリ６４から電力を引き出すが、これは商用電源出力部６２に電気がきていない期間、例えば、ヒューズが切れたときや電力が利用できない期間中に行われる。商用電源出力部６２に電圧が印加されている、つまり、電源供給が行われている期間中に、商用電源出力部のリピータ装置６０は、アウトレット・バッテリ６４を充電するとともに、該装置に電力が供給される。注目すべきは、構成要素の選択範囲について、事実上、任意のハウジング部が使用可能なプラスティック製ハウジングと、任意の有線式の電気的レセプタクルが使用可能な商用電源部と、任意の再充電可能なストレージデバイスが使用可能なアウトレット・バッテリとを含む、典型的な例のみとなることである。尚、構成要素における可能な変形例は本発明の範囲に含まれることは勿論である。
【００２２】
さらに、図６に示す別の実施形態において、リピータ装置は既存の電気的な出力端にハード・ワイヤー式で配線されるものであってもよい。本実施形態において、その構成要素の機能は、上記した実施形態について説明したのと同じであるが、その取り付け方が異なり、既存の壁面の出力プラグを部分的に又は完全に取り外し、該壁面のアウトレットから分離された既存の配線に対してリピータ装置を電気的に接続してから、これを、既存の壁面のアウトレットが付設された表面に取り付ける必要がある。
【００２３】
また、図６に示す別の実施形態において、リピータ装置は、建物の装備品に置き換えられるように変更が加えられ、この場合に当該建物の装備品の機能が維持される。建物の装備品とは、例えば、天井タイル、暖房及び換気及び空調（ＨＶＡＣ：Ｈｅａｔｉｎｇ  ａｎｄ  Ｖｅｎｔｉｌａｔｉｏｎ  ａｎｄ  Ａｉｒ  Ｃｏｎｄｉｔｉｏｎｉｎｇ）のグリル、天井スピーカー、天井スピーカータイル、建物の壁面に付設されたスピーカーグリル又はスピーカー等である。本実施形態において、第１の電源部は、リピータ装置に対してのみ電力を与える電源とされる。あるいは本実施形態の変形例として、第１及び第２の電源部がともにリピータ装置に電力を供給してもよい。さらには、本実施形態において、その取り付け方が図６の場合とは異なり、既知の技術を使って建物の装備品を取り外し、それからリピータ装置を取り付けることで、建物の装備品と置き換えられるようにしてもよい。
【００２４】
図示及び詳述した知識は、本発明の上述した目的や、本発明の好ましい実施形態を充分に達成し得るものであり、本発明によって広汎に意図された主題を表すものである。
本発明の範囲は、当業者にとって自明とされる他の実施形態を充分に網羅しており、従って、添付した特許請求の範囲の記載以外の何ものによっても限定されず、また、単数形の要素については、これが「１つ又はただ１つ」であることを意味しない、即ち、明示的に言えば、「１つ又はそれ以上」であることを意味する。
また、上記の好ましい実施形態及び当業者にとって既知の追加的な実施形態の構成要素に対して、構成上及び機能上の全ての均等物は、参照により本明細書に明示的に組み入れられ、かつ本願の特許請求の範囲に包含される。
【００２５】
そして、本発明が解決を意図する、各々の問題及びその全てを解決するための装置又は方法、即ち、本願にかかる特許請求の範囲に包含される装置又は方法に対して、それ以外の要件はない。
さらには、本明細書で開示されていない、如何なる要素、成分、方法の工程も、それらが特許請求の範囲において明示的に列挙されているか否かにかかわらず、努めて公に供するものではない。
しかし、特許請求の範囲にて説明される、本発明の精神及び範囲から逸脱することなく、形式上及び材料の詳細についての変更及び修正が可能であることを、当業者は認識すべきである。
尚、特許請求の範囲の如何なる記載も、その要素が「〜ための手段」という語句を使って明示的に列挙されている場合を除いて、米国特許法第１１２条、第６段の規定に従って解釈されるものではない。
【００２６】
本発明をより深く理解するために、参照される以下の添付図面について記述する。尚、参照番号は、図面中の数図を通して、本発明にかかる同一または同等の部分を示している。
【図面の簡単な説明】
【００２７】
【図１】ランプベースに採用された、本発明によるリピータ装置を部分的に断面で示す側面図である。
【図２Ａ】図１の実施例の回路を示すブロック図である。
【図２Ｂ】図１の実施例の回路を示すブロック図である。
【図３】本発明の他の実施例として、リピータ装置をＲ３０照明器具に採用した例を示す図である。
【図４Ａ】本発明のさらに別の実施例として、リピータ装置を電球内に採用した例を示す図である。
【図４Ｂ】本発明のさらに別の実施例として、リピータ装置を、電球とともに用いる電球状の器具に採用した例を示す図である。
【図５Ａ】本発明の他の実施例として、リピータ装置を蛍光灯器具内に採用した例を示す図である。
【図５Ｂ】本発明の他の実施例として、リピータ装置を蛍光灯器具内に採用した別例を示す図である。
【図６】本発明の他の実施例として、リピータ装置を電源出力部に採用した例を示す斜視図である。
【図７】図６の電源出力部を部分的に断面で示す、部分的な透視図である。
【図１】
2007511976.tif 000003
【図２Ａ】
2007511976.tif 000004
【図２Ｂ】
2007511976.tif 000005
【図３】
2007511976.tif 000006
【図４Ａ】
2007511976.tif 000007
【図４Ｂ】
2007511976.tif 000008
【図５Ａ】
2007511976.tif 000009
【図５Ｂ】
2007511976.tif 000010
【図６】
2007511976.tif 000011
【図７】
2007511976.tif 000012
【国際調査報告】
2007511976.tif 000013
2007511976.tif 000014